(57)【要約】【課題】決済方法を再度選択する機会を与える。【解決手段】ＣＰＵは、運転者に駐車料金の決済をＤＳＲＣ決済とするかしないかを問い合わせる（ステップＳ２２）。これに応答して、運転者がＤＳＲＣ決済としないことを選択した場合には（ステップＳ２６；Ｎｏ）、ステップＳ３３の処理にて運転者に駐車料金の決済を現金決済とするかしないかを問い合わせる。そして、選択期間タイマがタイムアウトする前に、運転者が現金決済としないことを選択した場合には（ステップＳ３７；Ｎｏ）、ステップＳ２２の処理へとリターンして、再度運転者に駐車料金の決済をＤＳＲＣ決済とするかしないかを問い合わせる。これにより、ＣＰＵは、運転者が一旦ＤＳＲＣ決済としないことを選択した場合でも、運転者に駐車料金をＤＳＲＣ決済することを再度選択する機会を与えることができる。【選択図】図６
2009098747.tif 000002
【特許請求の範囲】
【請求項１】
所定の料金の決済を複数種類の決済方法のうちの第１決済方法によって行うかを運転者に問い合わせる第１問合せ手段と、
前記第１問合せ手段による問合せに応答して、前記運転者が前記所定の料金の決済を前記第１決済方法によって行わないことを選択した場合、該所定の料金の決済を該第１決済方法とは異なる第２決済方法によって行うかを問い合わせる第２問合せ手段と、
前記第１及び第２問合せ手段による問合せに前記運転者が応答可能な期間が経過したか否かを判別する期間経過判別手段と、
前記期間経過判別手段によって応答可能な期間が経過したと判別する前に、前記第２問合せ手段による問合せに応答して、前記運転者が前記所定の料金の決済を前記第２決済方法によって行わないことを選択した場合、再度、前記第１問合せ手段による問合せを実行する再問合せ手段と、
を備える車載装置。
【請求項２】
前記再問合せ手段は、前記第２問合せ手段による問合せに応答して、前記運転者が前記所定の料金の決済を前記第２決済方法によって行うことを選択した後、前記期間経過判別手段によって応答可能な期間が経過したと判別する前に、該運転者が該選択の変更を指示した場合、再度、前記第１問合せ手段による問合せを実行する、
ことを特徴とする請求項１に記載の車載装置。
【請求項３】
前記応答可能な期間内の所定のリセットタイミングになったか否かを判別するリセットタイミング判別手段と、
前記運転者が前記所定の料金の決済を前記第１及び第２決済方法によって行うことのいずれをも選択することなく、前記リセットタイミング判別手段によって所定のリセットタイミングになったと判別した場合、所定のリセット処理を実行することにより、再度、前記第１問合せ手段による問合せを実行するリセット手段と、
をさらに備えることを特徴とする請求項１又は２に記載の車載装置。
【請求項４】
前記第１問合せ手段による問合せに応答して、前記運転者が前記所定の料金の決済を前記第１決済方法によって行うことを選択した場合、該所定の料金の決済を該第１決済方法によって行うことを決定し、前記第２問合せ手段による問合せに応答して、該運転者が該所定の料金の決済を前記第２決済方法によって行うことを選択した後、前記期間経過判別手段によって応答可能な期間が経過したと判別した場合、該所定の料金の決済を該第２決済方法によって行うことを決定する決済方法決定手段、
をさらに備えることを特徴とする請求項１、２、又は３に記載の車載装置。
【請求項５】
所定の料金の決済を複数種類の決済方法のうちの第１決済方法によって行うかを運転者に問い合わせる第１問合せステップと、
前記第１問合せステップによる問合せに応答して、前記運転者が前記所定の料金の決済を前記第１決済方法によって行わないことを選択した場合、該所定の料金の決済を該第１決済方法とは異なる第２決済方法によって行うかを問い合わせる第２問合せステップと、
前記第１及び第２問合せステップによる問合せに応答可能な期間が経過したか否かを判別する期間経過判別ステップと、
前記期間経過判別ステップによって応答可能な期間が経過したと判別する前に、前記第２問合せステップによる問合せに応答して、前記運転者が前記所定の料金の決済を前記第２決済方法によって行わないことを選択した場合、再度、前記第１問合せステップによる問合せを実行する再問合せステップと、
を備える料金決済方法。
【請求項６】
コンピュータに、
所定の料金の決済を複数種類の決済方法のうちの第１決済方法によって行うかを運転者に問い合わせる第１問合せ手順と、
前記第１問合せ手順による問合せに応答して、前記運転者が前記所定の料金の決済を前記第１決済方法によって行わないことを選択した場合、該所定の料金の決済を該第１決済方法とは異なる第２決済方法によって行うかを問い合わせる第２問合せ手順と、
前記第１及び第２問合せ手順による問合せに応答可能な期間が経過したか否かを判別する期間経過判別手順と、
前記期間経過判別手順によって応答可能な期間が経過したと判別する前に、前記第２問合せ手順による問合せに応答して、前記運転者が前記所定の料金の決済を前記第２決済方法によって行わないことを選択した場合、再度、前記第１問合せ手順による問合せを実行する再問合せ手順と、
を実行させるためのプログラム。
【発明の詳細な説明】
【技術分野】
【０００１】
本発明は、車載装置、料金決済方法、及びプログラムに関し、特に決済方法を再度選択する機会を与えることができる車載装置、料金決済方法、及びプログラムに関する。
【背景技術】
【０００２】
駐車場に設置されるＤＳＲＣ（Dedicated Short Range Communication）アンテナを介して車載装置から送信される運転者ＩＤを受信日時から、車両の入場日時と退場日時とを求め、さらにこの入場日時と退場日時とから駐車時間を演算して駐車料金を求め、この駐車料金を金融機関に請求して自動引落することにより決済する駐車場自動料金システムは、既に広く使用されている（例えば特許文献１参照）。
【０００３】
このような駐車場自動料金システムにおいても、従来通り駐車料金を現金で決済したいという要望はあり、駐車料金を現金で決済するか自動引落で決済するかは、路側装置がＤＳＲＣアンテナを介して車載装置において決済方法を選択するよう運転者に指示し、これに応答して運転者が車載装置にて行った選択に従って決定することが想定される。
【特許文献１】特開２０００−２８５１５７号公報
【発明の開示】
【発明が解決しようとする課題】
【０００４】
しかしながら、駐車場自動料金システムにおいて、ＤＳＲＣで決済することによりノンストップで決済可能という特性から所定の制限期間内に運転者が決済方法を選択しない場合には、運転者の意図に関わりなく自動的に現金での決済に決定され、再度の選択の機会は与えられない。
【０００５】
本発明は、上記に鑑みてなされたものであり、決済方法を再度選択する機会を与えることができる車載装置、料金決済方法、及びプログラムを提供することを目的とする。
【課題を解決するための手段】
【０００６】
上記目的を達成するため、本発明の第１の観点に係る車載装置は、所定の料金の決済を複数種類の決済方法のうちの第１決済方法によって行うかを運転者に問い合わせる第１問合せ手段と、前記第１問合せ手段による問合せに応答して、前記運転者が前記所定の料金の決済を前記第１決済方法によって行わないことを選択した場合、該所定の料金の決済を該第１決済方法とは異なる第２決済方法によって行うかを問い合わせる第２問合せ手段と、前記第１及び第２問合せ手段による問合せに前記運転者が応答可能な期間が経過したか否かを判別する期間経過判別手段と、前記期間経過判別手段によって応答可能な期間が経過したと判別する前に、前記第２問合せ手段による問合せに応答して、前記運転者が前記所定の料金の決済を前記第２決済方法によって行わないことを選択した場合、再度、前記第１問合せ手段による問合せを実行する再問合せ手段と、を備える。
【０００７】
また、上記車載装置において、前記再問合せ手段は、前記第２問合せ手段による問合せに応答して、前記運転者が前記所定の料金の決済を前記第２決済方法によって行うことを選択した後、前記期間経過判別手段によって応答可能な期間が経過したと判別する前に、該運転者が該選択の変更を指示した場合、再度、前記第１問合せ手段による問合せを実行する、ようにしてもよい。
【０００８】
さらに、上記車載装置は、前記応答可能な期間内の所定のリセットタイミングになったか否かを判別するリセットタイミング判別手段と、前記運転者が前記所定の料金の決済を前記第１及び第２決済方法によって行うことのいずれをも選択することなく、前記リセットタイミング判別手段によって所定のリセットタイミングになったと判別した場合、所定のリセット処理を実行することにより、再度、前記第１問合せ手段による問合せを実行するリセット手段と、をさらに備えるようにしてもよい。
【０００９】
そして、上記車載装置は、前記第１問合せ手段による問合せに応答して、前記運転者が前記所定の料金の決済を前記第１決済方法によって行うことを選択した場合、該所定の料金の決済を該第１決済方法によって行うことを決定し、前記第２問合せ手段による問合せに応答して、該運転者が該所定の料金の決済を前記第２決済方法によって行うことを選択した後、前記期間経過判別手段によって応答可能な期間が経過したと判別した場合、該所定の料金の決済を該第２決済方法によって行うことを決定する決済方法決定手段をさらに備えるようにしてもよい。
【００１０】
また、本発明の第２の観点に係る料金決済方法は、所定の料金の決済を複数種類の決済方法のうちの第１決済方法によって行うかを運転者に問い合わせる第１問合せステップと、前記第１問合せステップによる問合せに応答して、前記運転者が前記所定の料金の決済を前記第１決済方法によって行わないことを選択した場合、該所定の料金の決済を該第１決済方法とは異なる第２決済方法によって行うかを問い合わせる第２問合せステップと、前記第１及び第２問合せステップによる問合せに応答可能な期間が経過したか否かを判別する期間経過判別ステップと、前記期間経過判別ステップによって応答可能な期間が経過したと判別する前に、前記第２問合せステップによる問合せに応答して、前記運転者が前記所定の料金の決済を前記第２決済方法によって行わないことを選択した場合、再度、前記第１問合せステップによる問合せを実行する再問合せステップと、を備える。
【００１１】
また、本発明の第３の観点に係るプログラムは、コンピュータに、所定の料金の決済を複数種類の決済方法のうちの第１決済方法によって行うかを運転者に問い合わせる第１問合せ手順と、前記第１問合せ手順による問合せに応答して、前記運転者が前記所定の料金の決済を前記第１決済方法によって行わないことを選択した場合、該所定の料金の決済を該第１決済方法とは異なる第２決済方法によって行うかを問い合わせる第２問合せ手順と、前記第１及び第２問合せ手順による問合せに応答可能な期間が経過したか否かを判別する期間経過判別手順と、前記期間経過判別手順によって応答可能な期間が経過したと判別する前に、前記第２問合せ手順による問合せに応答して、前記運転者が前記所定の料金の決済を前記第２決済方法によって行わないことを選択した場合、再度、前記第１問合せ手順による問合せを実行する再問合せ手順と、を実行させる。
【発明の効果】
【００１２】
本発明によれば、決済方法を再度選択する機会を与えることができる車載装置、料金決済方法、及びプログラムを提供することができる。
【発明を実施するための最良の形態】
【００１３】
以下、本発明を実施するための最良の形態について説明する。
【００１４】
まず、本実施形態に係る駐車料金決済システムの構成について図面を参照しつつ説明する。駐車料金決済システム１は、駐車場の出口付近に設けられており、図１に示すように、車両検出センサ１０と、ゲート装置２０と、路側装置３０と、車載装置４０と、決済サーバ５０と、から概略構成されている。
【００１５】
車両検出センサ１０は、例えばループコイルなどから構成されており、駐車場の出口付近に埋設されている。車両検出センサ１０は、駐車場の出口付近に接近してきた車両を検出して、所定の検出信号を路側装置３０に送信する。具体的には、運転者によって路側装置３０を操作可能な範囲に車両が進入したときに、車両検出センサ１０によって車両が検出される。
【００１６】
ゲート装置２０は、例えば駐車場内からの車両の退出を制限するポール２１や、ポール２１を昇降動作させる図示せぬモータなどから構成されている。ゲート装置２０は、通常ポール２１を閉鎖位置にセットして車両の退出が不能な状態にしている。
【００１７】
ゲート装置２０は、路側装置３０から送信されるゲート開放指示信号を受信したことに応答して、モータを駆動してポール２１を開放位置まで上昇させることにより、車両の退出が可能な状態にする。また、ゲート装置２０は、路側装置３０から送信されるゲート閉鎖指示信号を受信したことに応答して、モータを駆動してポール２１を閉鎖位置まで下降させることにより、車両の退出が不能な状態にする。
【００１８】
路側装置３０は、例えば駐車場の出入口付近に設置される駐車料金決済装置などから構成されており、その外面には、図２に示すように、表示画面３１や、スピーカ３２、駐車券挿入口３３、コイン投入口３４、紙幣挿入口３５、払出口３６などが設けられている。
【００１９】
図３は、路側装置３０の内部構成を示すブロック図である。路側装置３０は、図３に示すように、ＲＯＭ（Read Only Memory）３０１と、ＲＡＭ（Random Access Memory）３０２と、ＣＰＵ（Central Processing Unit）３０３と、Ｉ／Ｏ（Input/Output）ポート３０４と、無線通信部３０５と、画像表示部３０６と、操作部３０７と、音声処理部３０８と、を備え、これらはシステムバスなどを介して相互に接続されている。その他にも、路側装置３０には、図示せぬが、カードリーダや、領収証プリンタ、コインセレクタ、硬貨払出装置、紙幣リーダ、紙幣払出装置などが設けられている。
【００２０】
ＣＰＵ３０３は、ＲＡＭ３０２をワークエリアとして用いてＲＯＭ３０１に記憶されている各種プログラムを適宜実行することにより、路側装置３０各部の動作を制御する。
【００２１】
ＲＯＭ３０１には、ＯＳ（Operating System）や、各種アプリケーションプログラム、各種データなどが記憶されている。
【００２２】
本実施形態において、ＲＯＭ３０１には、アプリケーションプログラムとして、駐車料金の決済を行う際に路側装置３０の側で必要な処理（路側駐車料金決済処理）を実行する路側駐車料金決済プログラムが記憶されている。
【００２３】
また、ＲＯＭ３０１には、路側駐車料金決済プログラムのサブルーチンプログラムとして、ＩＣ（Integrated Circuit）カードを用いた駐車料金の決済を行う際に必要な処理（ＤＳＲＣ（Dedicated Short Range Communication）決済処理）を実行するＤＳＲＣ決済プログラムや、現金を用いた駐車料金の決済を行う際に必要な処理（現金決済処理）を実行する現金決済プログラムが記憶されている。
【００２４】
さらに、ＲＯＭ３０１には、路側装置３０が設置されている駐車場を運営する事業者を特定可能な駐車場ＩＤ（Identification Data）や、駐車料金を決済する際に用いられる駐車料金決定用テーブルなどといったデータが記憶されている。この駐車料金決定用テーブルには、駐車期間と駐車料金とが対応付けられて登録されている。
【００２５】
本実形態において、ＲＡＭ３０２には、駐車時間タイマなどが設けられている。駐車時間タイマは、車両が駐車場に入場してから退場するまでの期間（駐車期間）を計測するもので、駐車場の入口付近に埋設されている図示せぬ車両検出センサによって車両が検出されたときあるいは駐車場の入り口付近に設置した図示せぬ無線通信装置により車載装置４０と通信を行い運転者ＩＤが受信されたときに、所定のタイマ初期値がセットされるなどして駐車期間の計測を開始する。
【００２６】
Ｉ／Ｏポート３０４は、車両検出センサ１０や、駐車券挿入口３３に対応して設けられた検出センサなどから入力される検出信号をＣＰＵ３０３に供給したり、ＣＰＵ３０３から供給されるゲート開放指示信号やゲート閉鎖指示信号をゲート装置２０に出力したりする。
【００２７】
無線通信部３０５は、例えばＤＳＲＣ方式を採用する無線通信装置などから構成されており、路側装置３０に接近してきた車両に搭載された車載装置４０との間で各種データの無線通信を行う。本実施形態では、車載装置４０から送信される運転者ＩＤを受信したり、車載装置４０に対して各種指示信号を送信したりする。
【００２８】
画像表示部３０６は、例えば液晶表示装置（ＬＣＤ：Liquid Crystal Display）などから構成されており、図２に示す表示画面３１に、車両の運転者に対する各種メッセージやタッチパネルなどを表示する。
【００２９】
操作部３０７は、例えばタッチパネル方式の入力装置などから構成されており、運転者によるタッチパネルの操作に対応する指定信号を生成してＣＰＵ３０３に供給する。
【００３０】
音声処理部３０８は、例えばＤ／Ａ（Digital/Analog）コンバータなどから構成されており、ＣＰＵ３０３から供給されるデジタルオーディオ信号をアナログオーディオ信号に変換して、スピーカ３２から車両の運転者に対する各種音声メッセージなどを出力する。
【００３１】
図１に示す車載装置４０は、自動車などの車両に搭載されるもので、例えばカーナビゲーション装置となって一体に構成されている。図４は、車載装置４０の内部構成を示すブロック図である。車載装置４０は、図４に示すように、ＲＯＭ４０１と、ＲＡＭ４０２と、ＣＰＵ４０３と、Ｉ／Ｏポート４０４と、無線通信部４０５と、画像表示部４０６と、操作部４０７と、音声処理部４０８と、記憶部４０９と、ＩＣカード処理部４１０と、を備え、これらはシステムバスなどを介して相互に接続されている。また、車載装置４０は、インターネットなどのネットワークを介して決済サーバ５０に接続されている。
【００３２】
ＣＰＵ４０３は、ＲＡＭ４０２をワークエリアとして用いてＲＯＭ４０１や記憶部４０９に記憶されている各種プログラムを適宜実行することにより、車載装置４０各部の動作を制御する。
【００３３】
本実施形態において、ＲＡＭ４０２には、選択期間タイマなどが設けられている。選択期間タイマは、運転者が駐車料金の決済をＤＳＲＣ決済とするか現金決済とするかを選択可能な期間（選択期間）を計測するもので、後述する車側駐車料金決済処理を開始するときに、所定のタイマ初期値がセットされるなどして選択期間の計測を開始する。
【００３４】
Ｉ／Ｏポート４０４は、例えば図示せぬＤＶＤ−ＲＯＭ（Digital Versatile Disc）ドライブに挿入されたＤＶＤ−ＲＯＭなどから地図情報などを読み出してＣＰＵ４０３に供給する。
【００３５】
無線通信部４０５は、例えば複数のＧＰＳ（Global Positioning System）衛星から図示せぬアンテナを介して入力されるＧＰＳ電波を電気信号に変換してＣＰＵ４０３に供給する機能と、ＤＳＲＣ方式により路側装置３０との間で各種データの無線通信を行う機能と、を備える無線通信装置などから構成されている。本実施形態において、無線通信装置４０５は、路側装置３０に対して運転者ＩＤを送信したり、路側装置３０からの各種指示信号を受信したりする。
【００３６】
画像表示部４０６は、図３に示す画像表示部３０６と同様に液晶表示装置などから構成されており、図示せぬ表示画面に無線通信部４０５にて受信したＧＰＳ電波に基づくナビゲーション画像やテレビジョン画像などを表示したり、記憶部４０９に記憶されているマップ画像などを表示したりする。また、画像表示部４０６は、図示せぬ表示画面に車両の運転者に対する各種メッセージやタッチパネルなどを表示する。
【００３７】
操作部４０７は、図３に示す操作部３０７と同様にタッチパネル方式の入力装置などから構成されており、運転者によるタッチパネルの操作に対応する指定信号を生成してＣＰＵ４０３に供給したり、運転者によるタッチパネルの操作により入力されたＩＣカードの番号をＣＰＵ４０３に供給したりする。
【００３８】
音声処理部４０８は、図３に示す音声処理部３０８と同様にＤ／Ａコンバータなどから構成されており、ＣＰＵ４０３から供給されるデジタルオーディオ信号をアナログオーディオ信号に変換して、図示せぬスピーカから車両の運転者に対する各種音声メッセージなどを出力する。
【００３９】
記憶部４０９は、例えばハードディスクドライブなどから構成されており、ＯＳや、各種アプリケーションプログラム、各種データ、所定の地図情報などを記憶している。
【００４０】
本実施形態において、記憶部４０９には、アプリケーションプログラムとして、駐車料金の決済を行う際に車載装置４０の側で必要な処理（車側駐車料金決済処理）を実行する車側駐車料金決済プログラムが記憶されている。
【００４１】
ＩＣカード処理部４１０は、例えば運転者を特定可能な運転者ＩＤなどが電子的に書き込まれたＩＣカードを挿入可能に構成されており、挿入されたＩＣカードにアクセスして運転者ＩＤなどを読み出してＣＰＵ４０３に供給する。
【００４２】
決済サーバ５０は、ＩＣカードを用いた駐車料金の決済を行うもので、例えばフレームワークやワークステーションなどから構成されている。決済サーバ５０は、図５に示すように、ＲＯＭ５０１と、ＲＡＭ５０２と、ＣＰＵ５０３と、記憶部５０９と、を備え、これらはシステムバスなどを介して相互に接続されている。また、決済サーバ５０は、ネットワークを介して路側装置３０に接続されている。
【００４３】
ＣＰＵ５０３は、ＲＡＭ５０２をワークエリアとして用いてＲＯＭ５０１や記憶部５０９に記憶されている各種プログラムを適宜実行することにより、決済サーバ５０各部の動作を制御する。
【００４４】
記憶部５０９は、例えばハードディスクドライブなどから構成されており、ＯＳや、各種アプリケーションプログラム、各種データなどを記憶している。
【００４５】
本実施形態において、記憶部５０９には、ＩＣカードを用いた決済が可能な運転者や駐車場を運営する事業者などのＩＤと口座とを対応付けて登録する決済ＤＢ（Data Base）が記憶されている。
【００４６】
次に、上記構成を備える駐車料金決済システム１の具体的動作について図面を参照しつつ説明する。車両が駐車場の出口付近に接近してきて、路側装置３０と車載装置４０との間でＤＳＲＣ方式による無線通信が可能な領域にまで進入すると、路側装置３０の側では、ＣＰＵ３０３がＲＯＭ３０１に記憶されている路側駐車料金決済プログラムを実行することにより、図６に示す路側駐車料金決済処理を開始する。
【００４７】
この路側駐車料金決済処理が開始されると、ＣＰＵ３０３は、まず、図６に示すように、駐車料金の決済を、ＤＳＲＣ決済とするか現金決済とするかを選択するよう指示する決済選択指示信号を無線通信部３０５から車載装置４０に対して送信する（ステップＳ１）。
【００４８】
その後、ＣＰＵ３０３は、Ｉ／Ｏポート３０４の入力状態をチェックするなどして、車載装置４０からＤＳＲＣ決済と現金決済とのうちいずれかを指定する決済指定信号を無線通信部３０５にて受信したか否かを判別する（ステップＳ２）。
【００４９】
ここで、決済指定信号を受信していなければ（ステップＳ２；Ｎｏ）、ＣＰＵ３０３は、決済指定信号を受信するまでループして待ち、その後、決済指定信号を受信すると（ステップＳ２；Ｙｅｓ）、この決済指定信号がＤＳＲＣ決済を指定するものであるか現金決済を指定するものであるかを判別する（ステップＳ３）。
【００５０】
ここで、決済指定信号がＤＳＲＣ決済を指定するものであれば（ステップＳ３；Ｙｅｓ）、ＣＰＵ３０３は、ＲＯＭ３０１に記憶されているＤＳＲＣ決済プログラムを実行することにより、ＩＣカードを用いて駐車料金を決済するＤＳＲＣ決済処理を実行する（ステップＳ４）。
【００５１】
ステップＳ３の処理にて決済指定信号がＤＳＲＣ決済を指定するものではないと判別した場合には（ステップＳ３；Ｎｏ）、Ｉ／Ｏポート３０５の入力状態をチェックするなどして、車両検出センサ１０からの検出信号を受信したか否かを判別することにより、車両が車両検出センサ１０に検出されたか否かを判別する（ステップＳ５）。
【００５２】
ここで、車両が検出されていなければ（ステップＳ５；Ｎｏ）、ＣＰＵ３０３は、車両が検出されるまでループして待ち、その後、車両が検出されると（ステップＳ５；Ｙｅｓ）、所定の画像データや音声データを画像表示部３０６や音声処理部３０８に供給することにより、例えば図７に示すような運転者に駐車券を駐車券挿入口３３に挿入するよう指示するメッセージを表示画面３１に表示したり、このメッセージに対応する音声をスピーカ３２から出力したりする（ステップＳ６）。
【００５３】
続いて、ＣＰＵ３０３は、Ｉ／Ｏポート３０４の入力状態をチェックするなどして、駐車券挿入口３３に対応して設けられた所定の検出センサからの検出信号を受信したか否かを判別することにより、運転者により駐車券挿入口３３に駐車券が挿入されたか否かを判別する（ステップＳ７）。
【００５４】
ここで、駐車券が挿入されていなければ（ステップＳ７；Ｎｏ）、ＣＰＵ３０３は、駐車券が挿入されるまでループして待ち、その後、駐車券が挿入されると（ステップＳ７；Ｙｅｓ）、ＲＯＭ３０１に記憶されている現金決済プログラムを実行することにより、現金を用いて駐車料金を決済する現金決済処理を実行する（ステップＳ８）。
【００５５】
図８は、ステップＳ４のＤＳＲＣ決済処理の詳細を示すフローチャートである。このＤＳＲＣ決済処理が開始されると、ＣＰＵ３０３は、まず、図８に示すように、決済指定信号に含まれる運転者ＩＤを取得する（ステップＳ１０１）。次に、ＣＰＵ３０３は、ステップＳ１０１の処理にて取得した運転者ＩＤに対応する駐車期間タイマをＲＡＭ３０２のうちから検出し、この駐車期間タイマにおけるタイマ値が示す駐車期間に対応する駐車料金をＲＯＭ３０１に記憶されている駐車料金決定用テーブルを参照して決定する（ステップＳ１０２）。
【００５６】
続いて、ＣＰＵ３０３は、ステップＳ１０１の処理にて取得した運転者ＩＤと、ステップＳ１０２の処理にて決定した駐車料金と、ＲＯＭ３０１に記憶されている事業者ＩＤと、を含む決済要求信号をネットワークを介して決済サーバ５０に送信することにより、ＩＣカードを用いた駐車料金の決済を要求する（ステップＳ１０３）。
【００５７】
このとき、決済サーバ５０の側では、ＣＰＵ５０３が路側装置３０からネットワークを介して送信された決済要求信号を受信し、この決済要求信号に含まれる運転者ＩＤと合致するものを記憶部５０９に記憶されている決済ＤＢのうちから検出する。ここで、合致する運転者ＩＤを検出した場合には、駐車料金を後日、運転者ＩＤに対応する口座から、事業者ＩＤに対応する口座に振り替えるために必要な処理を行う。その後、ＣＰＵ５０３は、駐車料金の決済の要求を受け付けたことを通知する要求受付通知信号をネットワークを介して路側装置３０に送信する。これに対して、合致する運転者ＩＤを検出できなかった場合には、駐車料金の決済の要求を拒絶したことを通知する要求拒絶通知信号をネットワークを介して路側装置３０に送信する。
【００５８】
そして、路側装置３０の側では、ＣＰＵ３０３が決済サーバ５０から要求受付通知信号及び要求拒絶通知信号のいずれかを受信したか否かを判別する（ステップＳ１０４）。ここで、決済受付通知信号及び決済拒否通知信号のいずれも受信していなければ（ステップＳ１０４；Ｎｏ）、ＣＰＵ３０３は、これらを受信するまで待つ。
【００５９】
その後、要求受付通知信号及び要求拒絶通知信号のいずれかを受信すると（ステップＳ１０４；Ｙｅｓ）、ＣＰＵ３０３は、これが要求受付通知信号及び要求拒絶通知信号のいずれであるかを判別する（ステップＳ１０５）。
【００６０】
ここで、要求拒絶通知信号を受信していれば（ステップＳ１０５；Ｎｏ）、ＣＰＵ３０３は、ＩＣカードを用いた駐車料金の決済ができなかったことを通知する決済未完通知信号を無線通信部３０５から車載装置４０に送信する（ステップＳ１０６）。
【００６１】
これに対して、要求受付通知信号を受信した場合には（ステップＳ１０５；Ｙｅｓ）、ＩＣカードを用いた駐車料金の決済が完了したことを通知する決済完了通知信号を無線通信部３０５から車載装置４０に送信するとともに（ステップＳ１０７）、Ｉ／Ｏポート３０４からゲート開放指示信号をゲート装置２０に送信して、ポール２１を開放位置まで上昇させることにより、車両の退出が可能な状態に制御する（ステップＳ１０８）。
【００６２】
図９は、ステップＳ８の現金決済処理の詳細を示すフローチャートである。この現金決済処理が開始されると、ＣＰＵ３０３は、まず、図９に示すように、駐車券挿入口３３に挿入された駐車券に記録されている駐車開始時刻を読み取った後、この駐車開始時刻と、現在の時刻と、から駐車期間を求め、この駐車期間に対応する駐車料金をＲＯＭ３０１に記憶されている駐車料金決定用テーブルを参照して決定する（ステップＳ２０１）。
【００６３】
次に、ＣＰＵ３０３は、ステップＳ２０１の処理にて決定した駐車料金に対応する画像データや音声データを画像表示部３０６や音声処理部３０８に供給することにより、例えば図１０（ａ）に示すような運転者に駐車料金を支払うよう指示するメッセージを表示画面３１に表示したり、このメッセージに対応する音声をスピーカ３２から出力したりする（ステップＳ２０２）。
【００６４】
続いて、ＣＰＵ３０３は、運転者によりコイン投入口３４に投入されたコインをコインセレクタにて振り分けたり、紙幣挿入口３５に挿入された紙幣を紙幣リーダにて読み取ったりするなどして、運転者により支払われた金額がステップＳ２０１の処理にて決定した駐車料金に達したか否かを判別する（ステップＳ２０３）。
【００６５】
ここで、運転者により支払われた金額が駐車料金に達していなければ（ステップＳ２０３；Ｎｏ）、ＣＰＵ３０３は、支払われた金額が駐車料金に達するまでループして待ち、その後、支払われた金額が駐車料金に達すると（ステップＳ２０３；Ｙｅｓ）、この支払われた金額が駐車料金よりも多いか否かを判別する（ステップＳ２０４）。
【００６６】
ここで、支払われた金額が駐車料金よりも多ければ（ステップＳ２０４；Ｙｅｓ）、ＣＰＵ３０３は、支払われた金額と駐車料金との差額を求め、この差額を硬貨払出装置や紙幣払出装置を用いて払出口３６から払い出す（ステップＳ２０５）。
【００６７】
ステップＳ２０４の処理にて支払われた金額と駐車料金とが同額であると判別した場合や（ステップＳ２０４；Ｎｏ）、ステップＳ２０５の処理を実行した後には、領収書を領収証プリンタから発行するとともに（ステップＳ２０６）、所定の画像データや音声データを画像表示部３０６や音声処理部３０８に供給することにより、例えば図１０（ｂ）に示すような現金を用いた駐車料金の決済が完了したことを報知するメッセージを表示画面３１に表示したり、このメッセージに対応する音声をスピーカ３２から出力したりする（ステップＳ２０７）。
【００６８】
その後、ＣＰＵ３０３は、ゲート開放指示信号をＩ／Ｏポート３０４からゲート装置２０に送信して、ポール２１を開放位置まで上昇させることにより、車両の退出が可能な状態に制御する（ステップＳ２０８）。
【００６９】
また、車載装置４０の側では、ＣＰＵ４０３が路側装置３０から送信される決済選択指示信号を無線通信部４０５にて受信したことに応答して、記憶部４０９に記憶されている車側駐車料金決済プログラムを実行することにより、図１１及び図１２に示す車側駐車料金決済処理が開始される。
【００７０】
この車側駐車料金決済処理が開始されると、ＣＰＵ４０３は、まず、図１１に示すように、ＲＡＭ４０２に設けられた選択期間タイマに所定のタイマ初期値をセットするなどして、選択期間の計測を開始する（ステップＳ２１）。
【００７１】
次に、ＣＰＵ３０３は、無線通信部４０５にて受信した決済選択指示信号に含まれる画像データや音声データを抽出して画像表示部４０６や音声処理部４０８に供給することにより、例えば図１３（ａ）に示すような運転者に駐車料金の決済をＤＳＲＣ決済とするかしないかを問い合わせるメッセージを表示画面に表示したり、このメッセージに対応する音声をスピーカから出力したりする（ステップＳ２２）。
【００７２】
そして、ＣＰＵ４０３は、操作部４０７からの入力状態をチェックするなどして、運転者によりタッチパネルが操作されてＤＳＲＣ決済とするかしないかの選択が行われたか否かを判別する（ステップＳ２３）。
【００７３】
ここで、運転者によりタッチパネルが操作されていなければ（ステップＳ２３；Ｎｏ）、ＣＰＵ４０３は、選択期間タイマにおけるタイマ値をチェックするなどして、所定のリセットタイミングになったか否かを判別し（ステップＳ２４）、リセットタイミングになっていなければ（ステップＳ２４；Ｎｏ）、ステップＳ２３の処理へとリターンして、タッチパネルが操作されるのを待つ。
【００７４】
これに対して、ステップＳ２４の処理にてリセットタイミングになったと判別した場合には（ステップＳ２４；Ｙｅｓ）、所定のリセット処理を実行する（ステップＳ２５）。ステップＳ２５のリセット処理では、車載装置４０の電源が落とされたり、搬送波の供給が停止されたりして、路側装置３０と車載装置４０との間での無線通信を一旦停止させた後、電源が再投入されたり、搬送波の供給停止が解除されたりして、路側装置３０と車載装置４０との間での無線通信が再開される。
【００７５】
一方、ステップＳ２３の処理にて運転者によりタッチパネルが操作されたと判別した場合には（ステップＳ２３；Ｙｅｓ）、運転者によりＤＳＲＣ決済とすることが選択されたかしないことが選択されたかを判別する（ステップＳ２６）。
【００７６】
ここで、ＤＳＲＣ決済とすることが選択されていれば（ステップＳ２６；Ｙｅｓ）、ＣＰＵ４０３は、駐車料金をＤＳＲＣ決済によって行うことを決定し、ＤＳＲＣ決済を指定するＤＳＲＣ決済指定信号を無線通信部４０５から路側装置３０に対して送信する（図１２のステップＳ２７）。
【００７７】
また、ＣＰＵ４０３は、所定の画像データや音声データを画像表示部４０６や音声処理部４０８に供給することにより、例えば図１４（ａ）に示すような運転者にＤＳＲＣ決済とすることが選択されたことを報知するメッセージを表示画面に表示したり、このメッセージに対応する音声をスピーカから出力したりする（ステップＳ２８）。
【００７８】
その後、ＣＰＵ４０３は、Ｉ／Ｏポート４０４の入力状態をチェックするなどして、路側装置３０から、決済完了通知信号及び決済未完通知信号のいずれかを受信したか否かを判別する（ステップＳ２９）。ここで、決済完了通知信号及び決済未完通知信号のいずれも受信していなければ（ステップＳ２９；Ｎｏ）、ＣＰＵ４０３は、これらを受信するまで待つ。
【００７９】
その後、決済完了通知信号及び決済未完通知信号のいずれかを受信すると（ステップＳ２９；Ｙｅｓ）、ＣＰＵ４０３は、これが決済完了通知信号及び決済未完通知信号のいずれであるかを判別する（ステップＳ３０）。
【００８０】
ここで、決済完了通知信号を受信していれば（ステップＳ３０；Ｙｅｓ）、ＣＰＵ４０３は、所定の画像データや音声データを画像表示部４０６や音声処理部４０８に供給することにより、例えば図１５（ａ）に示すような運転者にＤＳＲＣ決済が完了したことを報知するメッセージを表示画面に表示したり、このメッセージに対応する音声をスピーカから出力したりする（ステップＳ３１）。
【００８１】
これに対して、決済未完通知信号を受信した場合には（ステップＳ３０；Ｎｏ）、所定の画像データや音声データを画像表示部４０６や音声処理部４０８に供給することにより、例えば図１５（ｂ）に示すような運転者にＤＳＲＣ決済ができなかったことを報知するメッセージを表示画面に表示したり、このメッセージに対応する音声をスピーカから出力したりする（ステップＳ３２）。
【００８２】
一方。図１１のステップＳ２６の処理にて運転者によりＤＳＲＣ決済としないことが選択されたと判別した場合には（ステップＳ２６；Ｎｏ）、続いて、図１３（ｂ）に示すような運転者に駐車料金の決済を現金決済とするかしないかを問い合わせるメッセージを表示画面に表示したり、このメッセージに対応する音声をスピーカから出力したりする（ステップＳ３３）。
【００８３】
そして、ＣＰＵ４０３は、操作部４０７からの入力状態をチェックするなどして、運転者によりタッチパネルが操作されて現金決済とするかしないかの選択が行われたか否かを判別する（ステップＳ３４）。
【００８４】
ここで、運転者によりタッチパネルが操作されていなければ（ステップＳ３４；Ｎｏ）、ＣＰＵ４０３は、選択期間タイマにおけるタイマ値をチェックするなどして、所定のリセットタイミングになったか否かを判別し（ステップＳ３５）、リセットタイミングになっていなければ（ステップＳ３５；Ｎｏ）、ステップＳ３４の処理へとリターンして、タッチパネルが操作されるのを待つ。
【００８５】
これに対して、ステップＳ３５の処理にてリセットタイミングになったと判別した場合には（ステップＳ３５；Ｙｅｓ）、所定のリセット処理を実行する（ステップＳ３６）。
【００８６】
一方、ステップＳ３４の処理にて運転者によりタッチパネルが操作されたと判別した場合には（ステップＳ３４；Ｙｅｓ）、運転者により現金決済とすることが選択されたかしないことが選択されたかを判別する（ステップＳ３７）。
【００８７】
ここで、運転者により現金決済としないことが選択された場合には（ステップＳ３７；Ｎｏ）、ステップＳ２２の処理へとリターンして、再度運転者に駐車料金の決済をＤＳＲＣ決済とするかしないかを問い合わせるメッセージを表示画面に表示したり、このメッセージに対応する音声をスピーカから出力したりする。
【００８８】
これに対して、運転者により現金決済とすることが選択された場合には（ステップＳ３７；Ｙｅｓ）、所定の画像データや音声データを画像表示部４０６や音声処理部４０８に供給することにより、例えば図１４（ｂ）に示すような運転者に現金決済とすることが選択されたことを報知するメッセージと、駐車料金の決済の現金決済からＤＳＲＣ決済への変更を指示可能な変更アイコンと、を表示画面に表示したり、このメッセージに対応する音声をスピーカから出力したりする（ステップＳ３８）。
【００８９】
その後、ステップＳ３８の処理にて表示画面に表示された変更アイコンが運転者によりクリックされたか否かを判別し（ステップＳ３９）、クリックされていなければ（ステップＳ３９；Ｎｏ）、続いて、選択期間タイマにおけるタイマ値が所定のタイマ上限値に達したか否かをチェックするなどして、選択期間タイマがタイムアウトしたか否かを判別する（ステップＳ４０）。
【００９０】
ここで、選択期間タイマがタイムアウトしていなければ（ステップＳ４０；Ｎｏ）、ＣＰＵ４０３は、ステップＳ３９の処理へとリターンして、変更アイコンがクリックされるのを待ち、その後、クリックされると（ステップＳ３９；Ｙｅｓ）、ステップＳ２２の処理へとリターンして、再度運転者に駐車料金の決済をＤＳＲＣ決済とするかしないかを問い合わせるメッセージを表示画面に表示したり、このメッセージに対応する音声をスピーカから出力したりする。
【００９１】
これに対して、ステップＳ４０の処理にて選択期間タイマがタイムアウトしたと判別した場合には（ステップＳ４０；Ｙｅｓ）、駐車料金をＤＳＲＣ決済によって行うことを決定し、現金決済を指定する現金決済指定信号を無線通信部４０５から路側装置３０に対して送信する（ステップＳ４１）。
【００９２】
以上説明したように、本実施形態に係る駐車料金決済システム１によれば、ＣＰＵ４０３は、ステップＳ２２の処理にて運転者に駐車料金の決済をＤＳＲＣ決済とするかしないかを問い合わせるメッセージを表示画面に表示したり、このメッセージに対応する音声をスピーカから出力したりする。これに応答して、運転者がＤＳＲＣ決済としないことを選択した場合には（ステップＳ２６；Ｎｏ）、ステップＳ３３の処理にて運転者に駐車料金の決済を現金決済とするかしないかを問い合わせるメッセージを表示画面に表示したり、このメッセージに対応する音声をスピーカから出力したりする。
【００９３】
そして、選択期間タイマがタイムアウトする前に、運転者が現金決済としないことを選択した場合には（ステップＳ３７；Ｎｏ）、ステップＳ２２の処理へとリターンして、再度運転者に駐車料金の決済をＤＳＲＣ決済とするかしないかを問い合わせるメッセージを表示画面に表示したり、このメッセージに対応する音声をスピーカから出力したりする。
【００９４】
また、運転者が現金決済とすることを選択した場合でも（ステップＳ３７；Ｙｅｓ）、選択期間タイマがタイムアウトする前に（ステップＳ４０；Ｎｏ）、変更アイコンをクリックすれば（ステップＳ３９；Ｙｅｓ）、ＣＰＵ４０３は、ステップＳ２２の処理へとリターンして、再度運転者に駐車料金の決済をＤＳＲＣ決済とするかしないかを問い合わせるメッセージを表示画面に表示したり、このメッセージに対応する音声をスピーカから出力したりする。
【００９５】
これにより、ＣＰＵ４０３は、運転者が一旦ＤＳＲＣ決済としないことを選択した場合でも、運転者に駐車料金をＤＳＲＣ決済することを再度選択する機会を与えることができる。
【００９６】
さらに、運転者がＤＳＲＣ決済とするかしないかの選択をしない場合や、ＤＳＲＣ決済としないことを選択しつつも現金決済とするかしないかの選択をしない場合には、選択期間タイマがタイムアウトする以前の所定のリセットタイミングになったときに、ステップＳ２５やＳ３０の処理にて所定のリセット処理を実行する。これにより、路側装置３０と車載装置４０との間での無線通信は、一旦停止された後、再開されることとなるため、ＣＰＵ４０３は、車側駐車料金決済処理を最初からやり直すことができる。
【００９７】
これにより、ＣＰＵ４０３は、運転者がＤＳＲＣ決済とするかしないかの選択や現金決済とするかしないかの選択をすることなく、選択期間タイマがタイムアウトして、現金決済とすることが自動的に決定されてしまうことを防止することができる。
【００９８】
なお、本発明は、上記実施形態に限定されず、種々の変形、応用が可能である。以下、本発明に適用可能な上記実施形態の変形態様について、説明する。
【００９９】
なお、上記実施形態においては、ステップＳ７で駐車券挿入を確認し、駐車券に記録されている時刻から駐車期間を算出しているが、ＤＳＲＣ決済に用いられる入庫時間を路側装置に送信することで、現金決済時の駐車料金を算出するようにしてもよい。
【０１００】
上記実施形態において、ステップＳ２５及びＳ３０のリセット処理では、載装置４０の電源が落とされたり、搬送波の供給が停止されたりして、路側装置３０と車載装置４０との間での無線通信を一旦停止させた後、電源が再投入されたり、搬送波の供給停止が解除されたりして、路側装置３０と車載装置４０との間での無線通信が再開されることにより、車側駐車料金決済処理を最初からやり直されるものとして説明した。しかしながら、本発明はこれに限定されるものではなく、ステップＳ２１の処理へとリターンすることによって、車側駐車料金決済処理を最初からやり直すようにしてもよい。
【０１０１】
また、上記実施形態において、ＣＰＵ３０３、４０３、及び５０３が実行するプログラムは、予めＲＯＭ３０１、４０１、及び５０１等に記憶されていた。しかしながら、本発明は、これに限定されず、上述の処理を実行させるためのプログラムを、既存の汎用コンピュータに適用することで、上記実施形態に係る路側装置３０、車載装置４０、及び決済サーバ５０として機能させてもよい。
【０１０２】
このようなプログラムの提供方法は任意であり、例えばコンピュータが読取可能な記録媒体（フレキシブルディスク、ＣＤ（Compact Disc）−ＲＯＭ、ＤＶＤ（Digital Versatile Disc）−ＲＯＭ等）に格納して配布してもよいし、インターネット等のネットワーク上のストレージにプログラムを格納しておき、これをダウンロードさせることにより提供してもよい。
【０１０３】
また、上記の処理をＯＳとアプリケーションプログラムとの分担、又はＯＳとアプリケーションプログラムとの協働によって実行する場合には、アプリケーションプログラムのみを記録媒体やストレージに格納してもよい。また、搬送波にプログラムを重畳し、ネットワークを介して配信することも可能である。例えば、ネットワーク上の掲示板（ＢＢＳ：Bulletin Board System）に上記プログラムを掲示し、ネットワークを介してプログラムを配信してもよい。そして、このプログラムを起動し、ＯＳの制御下で、他のアプリケーションプログラムと同様に実行することにより、上記の処理を実行できるように構成してもよい。
【図面の簡単な説明】
【０１０４】
【図１】駐車料金決済システムの構成例を示すブロック図である。
【図２】路側装置を例示する外観図である。
【図３】路側装置の構成例を示すブロック図である。
【図４】車載装置の構成例を示すブロック図である。
【図５】決済サーバの構成例を示すブロック図である。
【図６】路側駐車料金決済処理の一例を示すフローチャートである。
【図７】路側装置の表示画面での画像表示例を示す図である。
【図８】ＤＳＲＣ決済処理の一例を示すフローチャートである。
【図９】現金決済処理の一例を示すフローチャートである。
【図１０】路側装置の表示画面での画像表示例を示す図である。
【図１１】車側駐車料金決済処理の一例を示すフローチャートである。
【図１２】車側駐車料金決済処理の一例を示すフローチャートである。
【図１３】車載装置の表示画面での画像表示例を示す図である。
【図１４】車載装置の表示画面での画像表示例を示す図である。
【図１５】車載装置の表示画面での画像表示例を示す図である。
【符号の説明】
【０１０５】
１  駐車料金決済システム
１０  車両検出センサ
２０  ゲート装置
３０  路側装置
４０  車載装置
５０  決済サーバ
【図１】
2009098747.tif 000003
【図２】
2009098747.tif 000004
【図３】
2009098747.tif 000005
【図４】
2009098747.tif 000006
【図５】
2009098747.tif 000007
【図６】
2009098747.tif 000008
【図７】
2009098747.tif 000009
【図８】
2009098747.tif 000010
【図９】
2009098747.tif 000011
【図１０】
2009098747.tif 000012
【図１１】
2009098747.tif 000013
【図１２】
2009098747.tif 000014
【図１３】
2009098747.tif 000015
【図１４】
2009098747.tif 000016
【図１５】
2009098747.tif 000017